(57)【要約】  【課題】ディクスに停止位置情報を書き込むことにより停止操作を行ったディスク再生装置以外の再生装置でもレジューム再生を可能とする。  【解決手段】信号入力部６に再生停止の指示を受けるとシステム制御部７にて停止時の停止位置情報および再生設定情報を生成してディスク１に書き込む構成とする。また停止位置情報および再生設定情報が書き込まれたディスク１がセットされると読み出し部１０にて停止位置情報および再生設定情報を読み出してそれらの情報をもとにレジューム再生を行う構成とする。停止位置情報および再生設定情報は有効または無効を選択する場合がある。再生設定情報は記録時の字幕の種類や音声の種類などがある。【選択図】  図１
2005182884.tif 000002
【特許請求の範囲】
【請求項１】
ディスクの再生または記録を行うディスク記録再生装置であって、外部入力からの再生または停止の指示を受け付ける信号入力部と、前記指示が停止である場合に、前記ディスクの停止位置情報または前記停止位置情報および再生設定情報を生成するシステム制御部と、前記停止位置情報または前記停止位置情報および前記再生設定情報を前記ディスクの空き領域に保存し、前記空き領域にフラグをセットする書き込み部とを備えたディスク記録再生装置。
【請求項２】
ディスクの再生または記録を行うディスク記録再生装置であって、
前記ディスクがセットされると、前記ディスク内にフラグがセットされているか確認し、前記フラグがセットされている場合に、前記ディスクに保持されている停止位置情報または前記停止位置情報および再生設定情報を読み出す読出し部と、
前記再生設定情報がある場合には前記再生設定情報で指定される再生モードにより、前記停止位置情報で指定される位置から前記ディスクを再生するよう制御する制御部とを備えたディスク記録再生装置。
【請求項３】
外部入力からの指示を受け付ける信号入力部をさらに備え、
読出し部は、フラグがセットされていない場合には、停止位置情報をディスクのあらかじめ決められた任意の位置に設定し、
制御部は、前記信号入力部の指示に応じて、前記読出し部から出力される前記停止位置情報もしくは再生設定情報の有効または無効を選択し、選択した再生設定情報で指定される再生モードにより、選択した停止位置情報で指定される位置から前記ディスクを再生するよう制御する請求項２記載のディスク記録再生装置。
【請求項４】
ディスクがセットされた場合に、前記ディスクの空き領域の容量情報を読み出す読出し部をさらに備え、
システム制御部は、前記容量情報と前記ディスクの空き領域に保存しようとする停止位置情報または前記停止位置情報および再生設定情報を比較し、両者が等しいかまたは前記容量情報が大きい場合には、前記停止位置情報または前記停止位置情報および前記再生設定情報を、前記容量情報が小さい場合には、前記空き領域の容量に収まるよう前記停止位置情報または前記再生設定情報の必要な情報を選択し、選択した情報を前記ディスクに書き込むよう前記書込み部に指示する請求項１記載のディスク記録再生装置。
【請求項５】
再生設定情報が、ディスク再生または記録時の字幕の種類である請求項１から請求項４のいずれか１項記載のディスク記録再生装置。
【請求項６】
再生設定情報が、ディスク再生または記録時の音声の種類である請求項１から請求項４のいずれか１項記載のディスク記録再生装置。
【発明の詳細な説明】
【技術分野】
【０００１】
本発明は、ディスクの再生または記録を行うディスク記録再生装置に関するものである。
【背景技術】
【０００２】
近年、映像信号や音声信号を記録するメディアとしてDVDディスクが普及しており、その大容量を活かして長時間の動画データの録画、再生が可能となっている。さらに多数のディスクを搭載し、利用者が指定したディスクを選択してデータを再生するディスクチェンジャがある。ディスクチェンジャの中には利用者が再生を一時中断させても、後で中断させた場所から再生することができるように、レジューム再生の機能をそなえた装置がある（例えば、特許文献１参照）。
【０００３】
図６（ａ）は、従来のディスクチェンジャのレジューム再生方法を示す図である。ディスク１を再生中に一時中断すると、図６（ｂ）に示すディスク１のディスク識別情報２および停止位置情報３が、制御部およびメモリ制御部を経由して、メモリ４へ書き込まれる。ここで別のディスク５に切り換えて再生を行い、再びディスク１に切り換えて再生しようとするとディスク１から読み出されたディスク識別情報がメモリ４内に記録されているか検索し、記録されている場合にそのディスク識別情報２に対応する停止位置情報３が読み出され、以前に中断した場所からレジューム再生を行うことが可能となる。
【特許文献１】特開２００３−４５１２２号公報（第１１頁、第１図）
【発明の開示】
【発明が解決しようとする課題】
【０００４】
従来のディスクチェンジャでは、ディスク識別情報２および停止位置情報３をディスクチェンジャ内のメモリ４に記録するため、再生を中断させたディスク１を再生中断の操作を行ったディスクチェンジャとは別のディスクチェンジャにセットした場合には先に示したレジューム再生を行うことができないという問題点があった。
【０００５】
本発明は上記問題点を解決するもので、中断前の再生装置と別の再生装置においても、レジューム再生を可能とすることを目的とする。
【課題を解決するための手段】
【０００６】
上記目的を達成するために、本発明のディスク記録再生装置は、ディスクの再生または記録を行うディスク記録再生装置であって、外部入力からの再生または停止の指示を受け付ける信号入力部と、指示が停止である場合に、ディスクの停止位置情報または停止位置情報および再生設定情報を生成するシステム制御部と、停止位置情報または停止位置情報および再生設定情報をディスクの空き領域に保存し、空き領域にフラグをセットする書き込み部とを備えたものである。
【０００７】
また別のディスク記録再生装置は、ディスクの再生または記録を行うディスク記録再生装置であって、
ディスクがセットされると、ディスク内にフラグがセットされているか確認し、フラグがセットされている場合に、ディスクに保持されている停止位置情報または停止位置情報および再生設定情報を読み出す読出し部と、
再生設定情報がある場合には再生設定情報で指定される再生モードにより、停止位置情報で指定される位置からディスクを再生するよう制御する制御部とを備えたものである。
【０００８】
上記構成において、外部入力からの指示を受け付ける信号入力部をさらに備え、
読出し部は、フラグがセットされていない場合には、停止位置情報をディスクのあらかじめ決められた任意の位置に設定し、
制御部は、信号入力部の指示に応じて、読出し部から出力される停止位置情報もしくは再生設定情報の有効または無効を選択し、選択した再生設定情報で指定される再生モードにより、選択した停止位置情報で指定される位置からディスクを再生するよう制御するものである。
【０００９】
上記構成において、ディスクがセットされた場合に、ディスクの空き領域の容量情報を読み出す読出し部をさらに備え、
システム制御部は、容量情報とディスクの空き領域に保存しようとする停止位置情報または停止位置情報および再生設定情報を比較し、両者が等しいかまたは容量情報が大きい場合には、停止位置情報または停止位置情報および再生設定情報を、容量情報が小さい場合には、空き領域の容量に収まるよう停止位置情報または再生設定情報の必要な情報を選択し、選択した情報をディスクに書き込むよう書込み部に指示するものである。
【００１０】
上記構成において、再生設定情報が、ディスク再生または記録時の字幕の種類である。
【００１１】
上記構成において、再生設定情報が、ディスク再生または記録時の音声の種類である。
【発明の効果】
【００１２】
本発明のディスク記録再生装置によれば、ディスク内に再生停止時の停止位置情報または停止位置情報および再生設定情報を保存することができる。したがって、ディスク内に保存された再生停止時の停止位置情報および再生設定情報に従って、ディスクに記録を行ったディスク記録再生装置と別のディスク記録再生装置においても、レジューム再生が可能となる。
【００１３】
さらに、外部入力に従って、停止位置や再生モードの選択、さらにディスクへの記録を制御することが可能なディスク記録再生装置を提供できる。
【発明を実施するための最良の形態】
【００１４】
以下、本発明の実施の形態について、図面を参照しながら説明する。
（実施の形態１）
図１（ａ）は、本発明の第１の実施の形態におけるディスク再生装置の再生停止時でのディスク書き込み動作を示す説明図である。また、図２はディスク１に書き込まれる情報を示す説明図である。ここで、６は信号入力部、７はシステム制御部、８はディスク１への書き込みを行う書き込み部である。信号入力部６には、外部からの再生停止指示をシステム制御部７に伝えるための操作ボタンやリモコン受信部が設けられている。
【００１５】
この構成にて信号入力部６で受け付けた外部からの再生停止指示がシステム制御部７へ伝えられると、システム制御部７は、現在の再生位置情報と再生に必要な設定情報（共に図示せず）から、図２のような停止位置情報３および再生設定情報９を作成して書き込み部８へ伝える。書き込み部８では、停止位置情報３および再生設定情報９をディスク１の空き領域に書き込み、さらに停止位置情報３および再生設定情報９が書かれていることを示すフラグをディスク１内に立てる。図２における停止位置情報３は停止した時点の動画データがディスク１内のどの位置にあるのかを示し、再生設定情報９は停止した時点での字幕情報、音声情報を示す。
【００１６】
次に図１（ｂ）は、レジューム再生時のディスク１の読み込み動作を示す説明図である。ここで、１０はディスク１から図２に示す停止位置情報３および再生設定情報９を読み出す読み出し部、１１はシステム制御部７からの指示に従いディスク１内の所定のデータ位置から再生を開始させるディスク制御部である。
【００１７】
この構成にてディスク再生装置にディスク１がセットされるとディスク１内に停止位置情報３および再生設定情報９が書かれていることを示すフラグが立っているかを調べる。フラグが立っていない場合はディスク再生装置の初期情報に従ってディスクを再生する。一方、フラグが立っている場合に読み出し部１０はディスク１から図２に示す停止位置情報３および再生設定情報９を読み出す。システム制御部７では停止位置情報３に従い、以前にディスク１を停止させた時のディスク１内のデータ位置から再生を開始するようにディスク制御部１１に指示を出し、再生設定情報９から以前ディスク１を停止させた時の字幕、音声の言語を選択する。
【００１８】
以上のように、第１の実施の形態によれば、ディスク１内に停止位置情報３および再生設定情報９を書き込んで保持することで、書き込みを行ったディスク再生装置とは別のディスク再生装置にてもレジューム再生が可能となる。
【００１９】
なお、停止位置情報３および再生設定情報９を書き込みおよび読み出しているが、停止位置情報３のみを書き込み読み出して、再生させることも可能である。
（実施の形態２）
以下、本発明の第２の実施の形態について図面を参照しながら説明する。
【００２０】
図３（ａ）は、本発明の第２の実施の形態におけるディスク再生装置のレジューム再生時の新たなディスク読み込み動作を示す説明図である。図３（ａ）の構成は、図１（ｂ）と同様であるが、図１（ｂ）と異なるのはディスク１内の停止位置情報３および再生設定情報９に従って、レジューム再生を行うか否かの指示を受け付ける信号入力部６が追加され、システム制御部７にて図４に示す処理フローを行う点である。これにより停止位置情報３および再生設定情報９を記録されたディスク１がセットされた時、利用者の指示によりレジューム再生するか否かを選択することができる。
【００２１】
より詳しく説明すると、図４の処理フローのステップＳ１２にてディスクがセットされると、ステップＳ１３にてディスク１内の停止位置情報３および再生設定情報９が書かれていることを示すフラグを読み出す。そして、ステップＳ１４にてフラグが立っていない場合はステップＳ１５へ移行し、ディスク１の初めから再生を始める。ステップＳ１４にてフラグが立っている場合はステップＳ１６へ移行し、ディスク１より再生設定情報９を読み出す。ステップＳ１７にて再生設定情報９を反映させるかの指示を信号入力部６にて入力する。
【００２２】
ここで、再生設定情報９の反映を行う場合は、ステップＳ１８にて再生設定情報９を反映してステップＳ１９へ移行する。再生設定情報９の反映を行わない場合はステップＳ１９へ直ちに移行する。ステップＳ１９では、停止位置情報３を反映させるかの指示を信号入力部６にて入力する。また、停止位置情報３の反映を行う場合は、停止位置より再生を開始する。停止位置情報３を反映させない場合はステップＳ１５へ移行し、ディスク１の初めから再生を開始する。尚、ここでステップＳ１５において、ディスク１の始めから開始する実施の形態を記載したが、あらかじめ決まっている任意の位置（番地）であって良く、またステップＳ１４においてフラグが立っていない場合と、ステップＳ１９において停止位置情報３が無効化される場合とで異なっていても良いことはいうまでもない。
【００２３】
以上のように、第２の実施の形態によれば、ディスク１内に書き込まれた停止位置情報３および再生設定情報９に従って、レジューム再生するか否かを選択でき、多様な利用者のニーズに応えることができ、ディスク再生装置の利便性を向上させることが可能となる。
（実施の形態３）
以下、本発明の第３の実施の形態について図面を参照しながら説明する。
【００２４】
図３（ｂ）は、本発明の第３の実施形態におけるディスク再生装置の再生停止時での新たなディスク書き込み動作を示す説明図である。図３（ｂ）の構成は、図１（ａ）と同様であるが、図１（ａ）と異なるのはディスク１の空き領域の大きさを読み出す読み出し部１０が追加され、信号入力部６にて停止位置情報３および再生設定情報９を消去してよいかの指示を受け付けるようにして、システム制御部７にて図５に示す処理フローを行う点である。これにより書き込もうとする図２に示す停止位置情報３および再生設定情報９より空き領域の容量が小さい場合に、停止位置情報３および再生設定情報９から任意の情報のみを書き込むことを可能とする。
【００２５】
より詳しく説明すると、図５の処理フローのステップＳ２０にて、停止指示が入力されるとステップＳ２１にてディスク１の空き容量を調べる。そしてステップＳ２２にてディスク１の空き容量がメモリ内にある書き込む情報の大きさより大きいかあるいは等しいかを調べる。YESの場合は、ディスク１の空き容量に図２に示す停止位置情報３および再生設定情報９を書き込む。
【００２６】
また、ステップＳ２２の結果がNOの場合は、ステップＳ２３にて図２の停止位置情報３および再生設定情報９から順に消去してよいかの指示を信号入力部６にて入力する。ステップＳ２３にて消去する場合はステップＳ２４へ移行し、選択された停止位置情報３および再生設定情報９を消去する。ステップＳ２３にて消去しない場合は、ステップＳ２５へ移行して処理を終了する。ステップＳ２４にて消去後にステップＳ２６へ移行し、停止位置情報３または再生設定情報９が残っているならばステップＳ２２へ移行する。
【００２７】
ステップＳ２６にて停止位置情報３または再生設定情報９が残っていないならばステップＳ２５へ移行して処理を終了する。
【００２８】
以上のように第３の実施の形態によれば、ディスク１内の空き領域が少なく、停止位置情報３または再生設定情報９が書き込めない場合でも、書き込み可能な情報のみを書き込めるようにして、ディスクを効率的に利用できることが可能となる。
【００２９】
尚、上記全ての実施の形態において、図２の再生設定情報９として字幕情報と音声情報を挙げていたが、その他にもステレオ又はモノラル等の再生音声の情報を含めたオプション設定であれば良いことは言うまでもない。
【００３０】
上記のように、本発明により、再生停止時の停止位置情報および再生設定情報をディスクに書き込み、またディスク内の停止位置情報および再生設定情報を読み出し反映させて再生再開を行うことが可能となる。そのため再生停止したディスク再生装置以外のディスク再生装置でも自由にレジューム再生ができ、利用者の利便性が高まる。
【産業上の利用可能性】
【００３１】
本発明にかかるディスク記録再生装置は、再生停止したディスク再生装置以外のディスク再生装置でも自由にレジューム再生ができ、利用者の利便性が高まる等の効果があり、再生停止時の停止位置情報および再生設定情報をディスクに書き込み、またディスク内の停止位置情報および再生設定情報を読み出し反映させて再生再開を行う書込み型ディスクの記録または再生を行う記録再生装置等に適用することができる。
【図面の簡単な説明】
【００３２】
【図１】本発明の第１の実施形態におけるディスク再生装置の構成を示し、（ａ）は再生停止時のディスク書き込み動作に関する構成を示す説明図、（ｂ）はレジューム再生時のディスクの読み込み動作に関する構成を示す説明図である。
【図２】ディスク内に書き込む情報の説明図である。
【図３】（ａ）は本発明の第２の実施形態におけるレジューム再生時のディスクの読み込み動作に関する構成を示す説明図、（ｂ）は第３の実施の形態における再生停止時のディスク書き込み動作に関する構成を示す説明図である。
【図４】本発明の第２の実施形態における処理フロー図である。
【図５】本発明の第３の実施形態における処理フロー図である。
【図６】（ａ）は従来のディスクチェンジャにおけるレジューム再生時の読み込み動作に関する構成を示す説明図、（ｂ）はメモリに書き込む情報の説明図である。
【符号の説明】
【００３３】
１  ディスク
２  ディスク識別情報
３  停止位置情報
４  メモリ
６  信号入力部
７  システム制御部
８  書き込み部
９  再生設定情報
１０  読み出し部
１１  ディスク制御部
【図１】
2005182884.tif 000003
【図２】
2005182884.tif 000004
【図３】
2005182884.tif 000005
【図４】
2005182884.tif 000006
【図５】
2005182884.tif 000007
【図６】
2005182884.tif 000008